(57)【要約】【課題】ＡＶ機器の付属部品が飛び出したり、ずれたりすることなく、前記ＡＶ機器の本体及び付属部品を１個の梱包袋で容易に梱包する。【解決手段】矩形状の正面壁部１１１と矩形状の背面壁部１１２とを備え、正面壁部１１１の上部より上方に向かって一体的に突出し、開口１１０を塞ぐように背面壁部１１２の外側に配置されるとともに、接着される正面ベルト１２１と、背面壁部１１２の上部より上方に向かって一体的に突出し、前記開口１１０を塞ぐように正面壁部１１１の外側に配置され、途中で折り返し、付属部品を挟むことができるループが形成された背面ベルト１２２とを有している梱包袋１。【選択図】図５
2008290757.tif 000002
【特許請求の範囲】
【請求項１】
矩形状の正面壁部と矩形状の背面壁部とを備え、前記正面壁部と前記背面壁部との下部及び左右両側部が閉じられるとともに上部に開口が形成された袋状の本体部を有し、ＡＶ機器を梱包するための梱包袋であって、
前記正面壁部の上部より上方に向かって一体的に突出し、前記ＡＶ機器を梱包するときに、前記開口を塞ぐように前記背面壁部の外側に配置されるとともに、前記背面壁部の外側に接着される正面ベルトと、
前記背面壁部の上部より上方に向かって一体的に突出し、前記ＡＶ機器を梱包するときに、前記開口を塞ぐように前記正面壁部の外側に配置されているとともに、途中で折り返し、先端がそれ自体の背面壁部の近傍に接着されて前記正面壁部側で前記ＡＶ機器の付属部品を挟むことができるループが形成された背面ベルトとを有していることを特徴とする梱包袋。
【請求項２】
前記正面壁部と前記背面壁部は左側部、右側部又は下部のうちの１箇所で一体的に連結しており、残りの２箇所は接着されていることを特徴とする請求項１に記載の梱包袋。
【請求項３】
前記背面ベルトは少なくとも２本備えられており、前記正面ベルトよりも長く形成されていることを特徴とする請求項１又は請求項２に記載の梱包袋。
【請求項４】
前記正面ベルト及び前記背面ベルトは正面側から見て、前記本体部の上部に交互に配置されていることを特徴とする請求項１から請求項３のいずれかに記載の梱包袋。
【請求項５】
前記正面ベルトは前記正面壁部の上部の中央より突出する正面中央ベルトを有しており、
前記正面中央ベルトの先端部には前記正面中央ベルトと直交する方向に伸びる帯状の留め部が一体的に形成されており、前記ＡＶ機器を梱包するときに、前記留め部は前記左右両側部より正面側に回されるとともに、前記留め部同士が接着されることを特徴とする請求項１から請求項４のいずれかに記載の梱包袋。
【請求項６】
前記留め部は前記正面中央ベルトの先端より左右両側に伸び、前記ＡＶ機器を梱包するときに、前記留め部の両先端部が前記正面壁部で重ねあわされるとともに、接着されることを特徴とする請求項５に記載の梱包袋。
【発明の詳細な説明】
【技術分野】
【０００１】
本発明は、ＡＶ機器を梱包するための梱包袋に関するものである。
【背景技術】
【０００２】
ＤＶＤレコーダ等の薄型直方体形状のＡＶ機器では、前記ＡＶ機器を梱包袋に挿入し、前記梱包袋の挿入口を粘着テープ等で閉じて、別途用意されている梱包箱に梱包されて、搬送される。前記梱包袋で前記ＡＶ機器を梱包することで、前記ＡＶ機器に埃や塵等の異物が混入したり、傷がついたりするのを抑制することができる。
【０００３】
一方、ＡＶ機器には、本体以外に、電源ケーブル、接続ケーブル、リモートコントローラ、前記リモートコントローラ用電池、マニュアル等の付属部品が付属している場合がほとんどである。
【０００４】
従来のＡＶ機器では本体は単独で梱包袋にて梱包されているとともに、１個または複数個の前記付属部品が１つの梱包袋にて梱包された状態で、本体、付属部品を前記梱包箱に挿入されている。梱包袋に付属部品を挿入し開口部を粘着テープで封止することで、梱包される。
【０００５】
しかしながら、前記ＡＶ機器本体と、付属部品を別の梱包袋で梱包する場合、梱包袋が複数個必要となる。また、前記付属部品を前記本体と異なる梱包袋を用いて梱包するので、梱包に手間と時間がかかり、複数の梱包材が必要であることとあわせて、ＡＶ機器の本体及び付属部品の梱包に多くのコストが必要であった。また、前記梱包袋、中でも付属部品用の梱包袋は梱包箱より開梱した後、捨てられてしまうことが多く、廃棄物が多くなってしまうことがあった。
【０００６】
そこで、特開平９−１６５０４８号公報に記載の発明では、ＡＶ機器の本体を梱包する梱包材の先端を外部に折り曲げてシールすることで、付属部品を挿入し、収納することができる付属部品収納部が形成された梱包袋が示されている。
【０００７】
前記梱包袋を用いてＡＶ機器の本体及び付属部品を梱包することで、従来、別途用意していた付属部品用梱包袋を省略することができるので、付属部品用梱包袋を省略することができるとともに、梱包の手間及び時間を省略することができる。
【０００８】
【特許文献１】特開平９−１６５０４８号公報
【発明の開示】
【発明が解決しようとする課題】
【０００９】
特開平９−１６５０４８号公報に記載の発明では、前記付属部品収納部を作成するのに、多くの手間が必要であるとともに、マニュアル等の大物の付属部品を挿入するためには、大きな付属部品収納部を形成しなくてはならない。
【００１０】
また、前記付属部品収納部に前記付属部品を収納した状態で、前記ＡＶ機器が梱包された梱包箱に振動や衝撃が加えられ、前記ＡＶ機器が揺動された場合、前記付属部品収納部より前記付属部品が飛び出してしまう可能性がある。
【００１１】
そこで本発明は、上述した問題に鑑みてなされたものであり、ＡＶ機器の付属部品が飛び出したり、ずれたりすることなく、前記ＡＶ機器の本体及び付属部品を１個の梱包袋で容易に梱包することを目的とする。
【課題を解決するための手段】
【００１２】
上記目的を達成するため本発明は、矩形状の正面壁部と矩形状の背面壁部とを備え、前記正面壁部と前記背面壁部との下部及び左右両側部が閉じられるとともに上部に開口が形成された本体部を有し、ＡＶ機器を梱包するための梱包袋であって、前記正面壁部の上部より上方に向かって一体的に突出し、前記ＡＶ機器を梱包するときに、前記開口を塞ぐように前記背面壁部の外側に配置されるとともに、前記背面壁部の外側に接着される正面ベルトと、前記背面壁部の上部より上方に向かって一体的に突出し、前記ＡＶ機器を梱包するときに、前記開口を塞ぐように前記正面壁部の外側に配置されるとともに、途中で折り返し、先端が中間部に接着されて前記正面壁部側で前記ＡＶ機器の付属部品を挟むことができるループが形成された背面ベルトとを有していることを特徴とする。
【００１３】
この構成によると、ＡＶ機器を梱包するときに、ＡＶ機器本体と各種ケーブル、マニュアル、リモコン等の付属部品とを同じ梱包袋で梱包することができるので、前記付属部品ごとに梱包袋を準備しなくてもよい。
【００１４】
このことにより、梱包袋の使用量を削減することができるとともに、別工程として行われていた、付属部品の梱包をＡＶ機器本体を梱包するときに同時行うことができるので、梱包のための工数が減り、それだけ、梱包のためのコストを低減することが可能である。また、梱包袋を減らすことより、資源の消費を抑えるとともに、廃棄されるときのごみの量を削減することができる。
【００１５】
また、前記ＡＶ機器本体と前記付属部品とが一緒に梱包されるので、ＡＶ機器を運搬用の梱包箱に収めるときに、ＡＶ機器本体を梱包したものを梱包箱に収めるだけで、前記付属部品も一緒に収めることができる。
【００１６】
このことにより、梱包箱に収めるときの手間が低減するとともに、前記付属部品を梱包箱に入れ忘れる不具合が発生するのを抑制することが可能である。
【００１７】
上記構成において、前記正面壁部と前記背面壁部は左側部、右側部又は下部のうちの１箇所で一体的に連結しており、残りの２箇所は接着されているものであってもよい。
【００１８】
この構成によると、接着部を減らすことが可能であり、それだけ、製造に要するエネルギ及びコストを削減することが可能である。
【００１９】
上記構成において、前記背面ベルトは少なくとも２本備えられており、前記正面ベルトよりも長く形成されていることを特徴とするものであってもよい。
【００２０】
この構成によると、マニュアルやリモートコントローラ等の大きな付属部品も、前記背面ベルトで固定することができるとともに、少なくとも２個で保持するので、安定させることが可能である。
【００２１】
上記構成において、前記正面ベルトは前記正面壁部の上部の中央より突出する正面中央ベルトを有しており、前記正面中央ベルトの先端部には前記正面中央ベルトと直交する方向に伸びる帯状の留め部が一体的に形成されており、前記ＡＶ機器を梱包するときに、前記留め部は前記左右両側部より正面側に回されるとともに、前記留め部同士が接着されるものであってもよい。また、前記留め部は前記正面中央ベルトの先端より左右両側に伸び、前記ＡＶ機器を梱包するときに、前記留め部の両先端部が前記正面壁部で重ねあわされるとともに、接着されるものとしてもよい。
【００２２】
この構成によると、前記正面ベルトの留め部で、前記背面ベルトと直交する方向に前記付属部品を固定することができるので、前記背面ベルトで固定される付属部品の抜けを抑制することが可能である。
【００２３】
また、前記留め部が前記正面ベルトの先端より左右両方に伸びる形状を有していることで、前記正面壁部で重ね合わせることができるので、梱包途中でＡＶ機器を反転させる動作を減らすことができ、それだけ、手間とコストを削減することが可能である。
【発明の効果】
【００２４】
本発明によると、ＡＶ機器の付属部品が飛び出したり、ずれたりすることなく、前記ＡＶ機器の本体及び付属部品を１個の梱包袋で容易に梱包することができる。
【発明を実施するための最良の形態】
【００２５】
以下に本発明の実施形態を図面を参照して説明する。図１は本発明にかかる梱包袋の斜視図であり、図２は図１に示す梱包袋の正面図であり、図３は図１に示す梱包袋の側面図である。
【００２６】
図１、図２、図３に示す梱包袋１はポリエチレンのシートを切断し、既知の接着方法を用いて、接着することで形成されるものである。図１〜図３に示すように、梱包袋１は、本体部１１と、本体部１１の上部に一体的形成されたベルト部１２とを有している。
【００２７】
本体部１１は、矩形状を有する正面壁部１１１と、正面壁部１１１の下端部で一体的に連結しており、下端部を折り返して正面壁部１１１と対向して配置された矩形状の背面部１１２と、正面壁部１１１と背面壁部１１２の両端部を接着することで形成される接着部１１３とを有している。また、本体部１１は、上部に物品を出し入れするための開口１１０を備えている。なお、それには限定されないが、接着部１１３は加熱による溶着にて接着されている。溶着以外にも従来よく知られている接着方法を広く採用することが可能である。
【００２８】
梱包袋１において、ベルト部１２は、３本形成されている。ベルト部１２は、正面壁部１１１の上部と一体に形成された１本の正面ベルト１２１と、背面壁部１１２の上部と一体に形成された一対の背面ベルト１２２とを有している。
【００２９】
一対の背面ベルト１２２は間隙をあけて形成されており、正面ベルト１２１は正面側或いは背面側からみて一対の背面ベルト１２２の間の間隙に位置するように形成されている。また、一対の背面ベルト１２２は正面ベルト１２１よりも長く形成されている。
【００３０】
次に梱包袋１を用いたＡＶ機器の梱包について説明する。図４は本発明にかかる梱包袋でＡＶ機器を梱包した正面図であり、図５は図４に示すＡＶ機器を梱包した梱包袋の断面図である。なお、梱包されるＡＶ機器はここではＤＶＤレコーダ２である。
【００３１】
ＤＶＤレコーダ２には、本体２１と、付属部品である電源ケーブル２２、接続ケーブル２３、リモートコントローラ２４、リモートコントローラ用電池２５及びマニュアル２６とが同梱される。
【００３２】
本体２１は薄型の直方体形状を有するものであり、開口１１０より本体１１に挿入されており、電源ケーブル２２及び接続ケーブル２３は本体の開口側の側面に接触して配置されている。この状態で、正面ベルト１２１を開口１１０を覆うとともに背面壁部１１２の外部に回し、一対の背面ベルト１２２を開口を覆うとともに正面壁部１１１の外側に回す。このように、正面ベルト１２１及び背面ベルト１２２を互いに反対側の壁部の外側に回すことで、電源ケーブル２２及び接続ケーブル２３外側から押えるので固定することができる。このとき、正面ベルト１２１の先端部を背面壁部１１１の外部に接着する。この接着は、接着剤を使うものや溶着等、従来よく知られている方法で行われるものであり、ここでは、粘着テープ１３を用いている。
【００３３】
また、正面壁部１１１の外部に配置された背面ベルト１２２のさらに外側に、マニュアル２６、リモートコントローラ２４、リモートコントローラ用電池２５が配置され、背面ベルト１２２は折り返されてマニュアル２６、リモートコントローラ２４、リモートコントローラ用電池２５を覆うとともに先端を背面ベルト１２２の中間部に粘着テープ１３で固定し、ループ状部１２３を形成する。このループ状部１２３は予め形成されているものであってもよく、マニュアル２６、リモートコントローラ２４、リモートコントローラ用電池２５等を配置した後に折り返し固定して形成されるものであってもよい。
【００３４】
このとき、図３に示すように、マニュアル２６は一対の背面ベルト１２２の両方に包まれて固定されており、リモートコントローラ２４、リモートコントローラ用電池２５はそれぞれ別の背面ベルト１２２に覆われて固定されている。リモートコントローラ２４及びリモートコントローラ用電池２５は小さいので同じ背面ベルト１２２で固定すると、固定が不十分になりやすいので、それぞれ、独立して固定される。
【００３５】
以上、示したように、本体２１と付属部品とをひとつの梱包袋１で梱包することができるので、付属部品用の梱包袋を準備する必要がなく、また、別途梱包する手間と時間を省略することができるので、それだけ、ＤＶＤレコーダ２の製造、出荷にかかるコストを低減することが可能である。また、梱包袋を減らすことができるので、資源の消費を抑えるとともに、廃棄されるときのごみの量を削減することができる。
【００３６】
本発明にかかる梱包袋の他の例について、図面を参照して説明する。図６は本発明にかかる梱包袋の他の例の斜視図であり、図７は図６に示す梱包袋を用いてＡＶ機器を梱包した状態の正面図であり、図８は図７に示す梱包状態の背面図である。図６に示す梱包袋１ｂはベルト部１２ｂが異なる以外は図１等に示す梱包袋１と同じ構成を有するものであり、実質上同じ部分には同一の符号が付してある。
【００３７】
図６に示すように、梱包袋１ｂの正面ベルト１２１ｂの先端部には、正面ベルト１２１ｂと直交する留め部１２４ｂが形成されている。留め部１２４ｂは正面ベルト１２１ｂの先端部より互いに反対向きの伸びるベルト状部材であり、正面ベルト１２１ｂと一体に形成されているものである。
【００３８】
図７、図８に示すように、ＤＶＤレコーダ２の本体部２１は梱包袋１ｂの本体部１１に挿入される。このとき、本体部１１の開口１１０側に電源ケーブル２２、接続ケーブル２３は配置され、正面ベルト１２１ｂが背面壁部１１１の下側に、一対の背面ベルト１２２が正面壁部１１１の上側に来るように正面ベルト１２１ｂ及び背面ベルト１２２が折り曲げられる。
【００３９】
この状態で、正面ベルト１２１ｂは先端部が背面壁部１１２に粘着テープ１３にて接着される。一対の背面ベルト１２２は正面に配置された状態で、図１に示す梱包袋１と同様にマニュアル２６、リモートコントローラ２４、リモートコントローラ用電池２５を包むように折り返され、先端部が背面ベルト１２２と接着されることで、マニュアル２６、リモートコントローラ２４、リモートコントローラ用電池２５は固定されている。さらに、正面ベルト１２１ｂの留め部１２４ｂを梱包袋１ｂの開口１１０と直交する辺部より正面側にまわす。このとき留め部１２４ｂはマニュアル２６、リモートコントローラ２４、リモートコントローラ用電池２５の上部となるように巻きまわされ、それぞれの先端が粘着テープ１３で接着されて固定される。
【００４０】
このように留め部１２４ｂを設けることで、マニュアル２６、リモートコントローラ２４、リモートコントローラ用電池２５が背面ベルト１２２にて固定されていない方向に抜けるのが抑制されるので、梱包袋１ｂに梱包されたＤＶＤレコーダ２を揺動したり、取り出すときに傾けてしまった場合であっても、マニュアル２６、リモートコントローラ２４、リモートコントローラ用電池２５等の一対の背面ベルト１２２に固定された付属部品が抜け落ちるのを抑制することが可能である。なお、図示は省略しているが、留め部１２４ｂが正面ベルト１２１ｂの先端より一方向に伸びる形状のものであってもよい。
【００４１】
上記各実施例において、梱包袋の材質としてポリエチレンを挙げているがそれに限定されるものではなく、ポリプロピレン、ポリスチレン等の合成樹脂・布・紙・合成樹脂と紙との複合素材等、可撓性を有する材料を広く採用することができる。また、梱包袋を１枚のシートより形成しているが、２枚のシートをつき合わせ、本体部の両側部及び下部を接着して用いるものであってもよい。
【００４２】
さらに、梱包袋１、１ｂは１個の正面ベルト及び一対の背面ベルト、合計３個のベルトを備えているものを挙げているが、それに限定されるものではなく、たとえば、正面ベルトが２個或いは３個のものや、背面ベルトが３個のものであってもよい。ベルトの個数が増えることで、付属部品を安定して固定することが可能である。この場合、正面側或いは背面側よりみて、正面ベルトと背面ベルトが１個ずつ或いは複数個ずつ交互に配置されているものが好ましい。
【００４３】
以上、発明の実施形態を具体的に説明したが、本発明は上記実施形態に限定するものではなく、その要旨を逸脱しない範囲で種々変更可能である。各実施形態に記載した特徴のうち複数を備えていてもよい。
【産業上の利用可能性】
【００４４】
本発明は、ＡＶ機器の梱包において適用することができる。
【図面の簡単な説明】
【００４５】
【図１】本発明にかかる梱包袋の斜視図である
【図２】図１に示す梱包袋の正面図である。
【図３】図１に示す梱包袋の側面図である。
【図４】本発明にかかる梱包袋でＡＶ機器を梱包した正面図である。
【図５】図４に示すＡＶ機器を梱包した梱包袋の断面図である。
【図６】本発明にかかる梱包袋の他の例の斜視図である。
【図７】図６に示す梱包袋を用いてＡＶ機器を梱包した状態の正面図である。
【図８】図７に示す梱包状態の背面図である。
【符号の説明】
【００４６】
１  梱包袋
１１  本体部
１１１  正面壁部
１１２  背面壁部
１１３  接着部
１２  ベルト
１２１  正面ベルト
１２２  背面ベルト
２  ＤＶＤレコーダ
２１  本体
２２  電源ケーブル
２３  接続ケーブル
２４  リモートコントローラ
２５  リモートコントローラ用電池
２６  マニュアル
【図１】
2008290757.tif 000003
【図２】
2008290757.tif 000004
【図３】
2008290757.tif 000005
【図４】
2008290757.tif 000006
【図５】
2008290757.tif 000007
【図６】
2008290757.tif 000008
【図７】
2008290757.tif 000009
【図８】
2008290757.tif 000010